(57)【要約】【課題】受信する無線信号間の干渉によって伝送誤りの訂正率が低下することを抑制できる無線信号受信装置及び無線信号受信方法を提供する。【解決手段】受信機２００は、対数尤度比ＬＬＲの信頼度が所定の閾値以上か否かを判定する対数尤度比処理部２５３と、受信した無線信号に含まれる符号化データＤ１のうち、対数尤度比ＬＬＲが所定の信頼度未満であると判定された符号化データＤ１を格納するバッファ２６５ａとを備える。復号処理部２６０は、バッファ２６５ａに格納されている符号化データＤ１の対数尤度比ＬＬＲが所定の信頼度以上と判定された場合、バッファ２６５ａに格納されている符号化データＤ１を復号する。【選択図】図３
2008205944.tif 000002
【特許請求の範囲】
【請求項１】
同一周波数帯域の無線信号を複数受信する受信部と、
所定の誤り訂正符号にしたがって前記無線信号に含まれる符号化データを復号するとともに、前記符号化データの尤度を示す尤度情報に基づいて前記符号化データを繰り返し復号する復号処理部と
を備える無線信号受信装置であって、
前記尤度情報の信頼度が所定の閾値以上か否かを判定する尤度情報判定部と、
前記受信部が受信した前記無線信号に含まれる前記符号化データのうち、前記尤度情報判定部によって前記尤度情報が所定の信頼度未満であると判定された符号化データを格納するデータ格納部と
を備え、
前記復号処理部は、前記データ格納部に格納されている前記符号化データが前記尤度情報判定部によって前記尤度情報が所定の信頼度以上と判定された場合、前記データ格納部に格納されている前記符号化データを復号する無線信号受信装置。
【請求項２】
前記無線信号の伝搬路の状態を取得する伝搬路状態取得部と、
前記伝搬路状態取得部によって取得された前記伝搬路の状態に基づいて、前記符号化データの復号の繰り返し回数を決定する繰り返し回数決定部と
をさらに備える請求項１に記載の無線信号受信装置。
【請求項３】
前記符号化データが復号された復号結果に含まれる誤りの状態を検出する誤り状態検出部をさらに備え、
前記復号処理部は、前記誤り状態検出部によって検出された前記誤りが所定の閾値よりも少ない場合、前記繰り返し回数の復号が完了しているか否かにかかわらず、前記符号化データの復号を中止する請求項２に記載の無線信号受信装置。
【請求項４】
前記復号処理部は、前記伝搬路状態取得部によって取得された前記伝搬路の状態が良好な無線信号から順次復号する請求項２に記載の無線信号受信装置。
【請求項５】
同一周波数帯域の無線信号を複数受信し、所定の誤り訂正符号にしたがって前記無線信号に含まれる符号化データを復号するとともに、前記符号化データの尤度を示す尤度情報に基づいて前記符号化データを繰り返し復号する無線信号受信方法であって、
前記尤度情報の信頼度が所定の閾値以上か否かを判定するステップと、
受信した前記無線信号に含まれる前記符号化データのうち、前記尤度情報が所定の信頼度未満であると判定された符号化データをデータ格納部に格納するステップと
を備え、
前記復号するステップでは、前記データ格納部に格納されている前記符号化データが前記尤度情報が所定の信頼度以上と判定された場合、前記データ格納部に格納されている前記符号化データを復号する無線信号受信方法。
【請求項６】
前記無線信号の伝搬路の状態を取得するステップと、
取得された前記伝搬路の状態に基づいて、前記符号化データの復号の繰り返し回数を決定するステップと
をさらに備える請求項５に記載の無線信号受信方法。
【請求項７】
前記符号化データが復号された復号結果に含まれる誤りの状態を検出するステップをさらに備え、
前記復号するステップでは、検出された前記誤りが所定の閾値よりも少ない場合、前記繰り返し回数の復号が完了しているか否かにかかわらず、前記符号化データの復号を中止する請求項６に記載の無線信号受信方法。
【請求項８】
前記復号するステップでは、取得された前記伝搬路の状態が良好な無線信号から順次復号する請求項６に記載の無線信号受信方法。
【発明の詳細な説明】
【技術分野】
【０００１】
本発明は、同一周波数帯域の無線信号を複数受信し、所定の誤り訂正符号にしたがって無線信号に含まれる符号化データを復号するとともに、符号化データの尤度を示す尤度情報に基づいて符号化データを繰り返し復号する無線信号受信装置及び無線信号受信方法に関する。
【背景技術】
【０００２】
近年、移動体通信システムなどの無線通信システムでは、同一周波数帯域の無線信号を送受信する多数の送受信機（アンテナ）を用いてスループットを向上させるMultiple Input Multiple Output（ＭＩＭＯ）が実用化されている。
【０００３】
また、無線通信システムでは、伝搬路上において発生した伝送誤りの誤り訂正符号方式として、ターボ符号方式が広く用いられている。
【０００４】
無線通信システムにおいて、ＭＩＭＯ及びターボ符号方式が用いられる場合、受信機（無線信号受信装置）では、受信する無線信号ごとにターボ復号器が設けられる（例えば、特許文献１）。ターボ復号器は、２つの復号処理部を備え、一方の復号処理部において、無線信号に含まれる符号化データの対数尤度比（尤度情報）が演算される。演算された対数尤度比は、他方の復号処理部にフィードバックされ、設定された回数まで復号処理が繰り返される。
【特許文献１】特許第３７１４９１０号公報（第１３−１５頁、第１図）
【発明の開示】
【発明が解決しようとする課題】
【０００５】
しかしながら、従来の受信機、具体的には、無線信号受信装置には、以下のような問題があった。すなわち、受信機が受信する多数の無線信号の電力値に大きな差がある場合、電力値の高い無線信号が電力値の低い無線信号に対して干渉を与える。このため、対数尤度比の演算結果に大きな誤差が生じ、伝送誤りの訂正率が低下するといった問題があった。
【０００６】
そこで、本発明は、このような状況に鑑みてなされたものであり、受信する無線信号間の干渉によって伝送誤りの訂正率が低下することを抑制できる無線信号受信装置及び無線信号受信方法を提供することを目的とする。
【課題を解決するための手段】
【０００７】
上述した問題を解決するため、本発明は、次のような特徴を有している。まず、本発明の第１の特徴は、同一周波数帯域の無線信号（無線信号Ｓ１〜Ｓｎ）を複数受信する受信部（ＭＩＭＯ等化器２１１）と、所定の誤り訂正符号にしたがって前記無線信号に含まれる符号化データ（符号化データＤ１）を復号するとともに、前記符号化データの尤度を示す尤度情報（対数尤度比ＬＬＲ）に基づいて前記符号化データを繰り返し復号する復号処理部（復号処理部２６０）とを備える無線信号受信装置（受信機２００）であって、前記尤度情報の信頼度が所定の閾値以上か否かを判定する尤度情報判定部（対数尤度比処理部２５３）と、前記受信部が受信した前記無線信号に含まれる前記符号化データのうち、前記尤度情報判定部によって前記尤度情報が所定の信頼度未満であると判定された符号化データを格納するデータ格納部（バッファ２６５ａ）とを備え、前記復号処理部は、前記データ格納部に格納されている前記符号化データが前記尤度情報判定部によって前記尤度情報が所定の信頼度以上と判定された場合、前記データ格納部に格納されている前記符号化データを復号することを要旨とする。
【０００８】
このような無線信号受信装置によれば、符号化データの尤度情報が所定の信頼度以上と判定された場合、データ格納部に格納されている符号化データが復号される。このため、無線信号間の干渉などによって尤度情報が所定の信頼度未満の符号化データは、尤度情報が所定の信頼度以上となるまで復号されない。すなわち、このような無線信号受信装置によれば、受信する無線信号間の干渉によって伝送誤りの訂正率が低下することが抑制される。
【０００９】
本発明の第２の特徴は、本発明の第１の特徴に係り、前記無線信号の伝搬路の状態を取得する伝搬路状態取得部（伝搬路状態取得部２０７）と、前記伝搬路状態取得部によって取得された前記伝搬路の状態に基づいて、前記符号化データの復号の繰り返し回数を決定する繰り返し回数決定部（繰り返し回数決定部２０９）とをさらに備えることを要旨とする。
【００１０】
本発明の第３の特徴は、本発明の第２の特徴に係り、前記符号化データが復号された復号結果（復号済データＤ２）含まれる誤りの状態を検出する誤り状態検出部（エラー演算部２７３）をさらに備え、前記復号処理部は、前記誤り状態検出部によって検出された前記誤りが所定の閾値よりも少ない場合、前記繰り返し回数の復号が完了しているか否かにかかわらず、前記符号化データの復号を中止することを要旨とする。
【００１１】
本発明の第４の特徴は、本発明の第２の特徴に係り、前記復号処理部は、前記伝搬路状態取得部によって取得された前記伝搬路の状態が良好な無線信号から順次復号することを要旨とする。
【００１２】
本発明の第５の特徴は、同一周波数帯域の無線信号を複数受信し、所定の誤り訂正符号にしたがって前記無線信号に含まれる符号化データを復号するとともに、前記符号化データの尤度を示す尤度情報に基づいて前記符号化データを繰り返し復号する無線信号受信方法であって、前記尤度情報の信頼度が所定の閾値以上か否かを判定するステップと、受信した前記無線信号に含まれる前記符号化データのうち、前記尤度情報が所定の信頼度未満であると判定された符号化データをデータ格納部に格納するステップとを備え、前記復号するステップでは、前記データ格納部に格納されている前記符号化データが前記尤度情報が所定の信頼度以上と判定された場合、前記データ格納部に格納されている前記符号化データを復号することを要旨とする。
【００１３】
本発明の第６の特徴は、本発明の第５の特徴に係り、前記無線信号の伝搬路の状態を取得するステップと、取得された前記伝搬路の状態に基づいて、前記符号化データの復号の繰り返し回数を決定するステップとをさらに備えることを要旨とする。
【００１４】
本発明の第７の特徴は、本発明の第６の特徴に係り、前記復号結果に含まれる誤りの状態を検出するステップをさらに備え、前記復号するステップでは、検出された前記誤りが所定の閾値よりも少ない場合、前記繰り返し回数の復号が完了しているか否かにかかわらず、前記符号化データの復号を中止することを要旨とする。
【００１５】
本発明の第８の特徴は、本発明の第６の特徴に係り、前記復号するステップでは、取得された前記伝搬路の状態が良好な無線信号から順次復号することを要旨とする。
【発明の効果】
【００１６】
本発明の特徴によれば、受信する無線信号間の干渉によって伝送誤りの訂正率が低下することを抑制できる無線信号受信装置及び無線信号受信方法を提供することができる。
【発明を実施するための最良の形態】
【００１７】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１８】
したがって、具体的な寸法などは以下の説明を参酌して判断すべきものである。また、図面相互間においても互いの寸法の関係や比率が異なる部分が含まれていることは勿論である。
【００１９】
（無線通信システムの全体概略構成）
図１は、本実施形態に係る無線通信システム１０の全体概略構成図である。図１に示すように、無線通信システム１０は、送信機１００と受信機２００とによって構成される。送信機１００と受信機２００とは、同一周波数帯域の無線信号を送受信する多数のアンテナを用いてスループットを向上させるMultiple Input Multiple Output（ＭＩＭＯ）が用いられる。
【００２０】
送信機１００は、アンテナ１０１ａ〜１０１ｎを用いて、同一周波数帯域の無線信号Ｓ１〜Ｓｎを同時に送信する。受信機２００は、アンテナ２０１ａ〜２０１ｎを用いて、無線信号Ｓ１〜Ｓｎを受信する。さらに、受信機２００は、受信した無線信号Ｓ１〜Ｓｎを分離し、無線信号Ｓ１〜Ｓｎに含まれる符号化データＤ１（図１において不図示、図３参照）を抽出する。本実施形態において、受信機２００は、無線信号受信装置を構成する。
【００２１】
また、送信機１００及び受信機２００では、誤り訂正符号方式として、ターボ符号が用いられる。
【００２２】
（無線信号受信装置の機能ブロック構成）
次に、本実施形態において無線信号受信装置を構成する受信機２００の機能ブロック構成について説明する。図２は、受信機２００の全体機能ブロック図である。図３は、受信機２００に含まれるターボ復号器２５０の詳細機能ブロック図である。
【００２３】
（１）全体ブロック構成
図２に示すように、受信機２００は、ＭＩＭＯ等化器２１１とターボ復号器２５０とを備える。ＭＩＭＯ等化器２１１には、複数のアンテナ、具体的には、アンテナ２０１ａ〜２０１ｎが接続される。
【００２４】
アンテナ２０１ａ〜２０１ｎには、チャネル推定部２０３が接続される。チャネル推定部２０３には、トレーニングシンボル生成部２０５が接続される。チャネル推定部２０３は、トレーニングシンボル生成部２０５から出力されるトレーニングシンボルに基づいて、アンテナ２０１ａ〜２０１ｎを介して受信した無線信号Ｓ１〜Ｓｎのチャネル推定を実行する。具体的には、チャネル推定部２０３は、トレーニングシンボルに基づいて、無線信号Ｓ１〜Ｓｎの伝搬路の状態（マルチパス）を推定する。
【００２５】
チャネル推定部２０３には、伝搬路状態取得部２０７が接続される。伝搬路状態取得部２０７は、チャネル推定部２０３によるチャネル推定の結果に基づいて、無線信号Ｓ１〜Ｓｎの伝搬路の状態を取得する。具体的には、伝搬路状態取得部２０７は、無線信号Ｓ１〜Ｓｎの受信電力値、ＲＳＳＩ及びＣＩＮＲなどを取得する。
【００２６】
伝搬路状態取得部２０７には、繰り返し回数決定部２０９が接続される。繰り返し回数決定部２０９は、伝搬路状態取得部２０７によって取得された無線信号Ｓ１〜Ｓｎの伝搬路の状態に基づいて、無線信号Ｓ１〜Ｓｎに含まれる符号化データＤ１（図３参照）のターボ復号の繰り返し回数を決定する。
【００２７】
繰り返し回数決定部２０９によって決定された符号化データＤ１の復号の繰り返し回数は、ＭＩＭＯ等化器２１１に出力される。
【００２８】
ＭＩＭＯ等化器２１１は、アンテナ２０１ａ〜２０１ｎを用いて、無線信号Ｓ１〜Ｓｎを受信する。本実施形態において、ＭＩＭＯ等化器２１１は、受信部を構成する。具体的には、ＭＩＭＯ等化器２１１は、同時に受信した無線信号Ｓ１〜Ｓｎを分離し、所定の行列演算を実行することによって、無線信号Ｓ１〜Ｓｎに含まれる符号化データＤ１（図３参照）を抽出する。
【００２９】
ＭＩＭＯ等化器２１１は、抽出した符号化データＤ１をターボ復号器２５０に出力する。具体的には、ＭＩＭＯ等化器２１１は、受信した無線信号Ｓ１〜Ｓｎの電力値の大きさ、及びターボ復号器２５０からフィードバックされる対数尤度比ＬＬＲ（図２において不図示、図３参照）に応じて無線信号Ｓ１〜Ｓｎをソートする。ＭＩＭＯ等化器２１１は、ソートされた順序にしたがって、無線信号に含まれる符号化データＤ１を当該順序に対応するターボ復号器２５０に出力する。
【００３０】
ターボ復号器２５０は、無線信号に対応して複数設けられる。ターボ復号器２５０は、ＭＩＭＯ等化器２１１から出力された符号化データＤ１を復号し、復号済データＤ２（図２において不図示、図３参照）を出力する。ターボ復号器２５０は、ターボ符号に基づいて符号化されている符号化データＤ１を復号する。
【００３１】
（２）ターボ復号器２５０の詳細ブロック構成
図３に示すように、ターボ復号器２５０は、デマッピング部２５１、対数尤度比処理部２５３、分離部２５５、インタリーバ２５７、復号処理部２６０、出力部２７１及びエラー演算部２７３を備える。
【００３２】
デマッピング部２５１は、ＭＩＭＯ等化器２１１から出力された符号化データＤ１のデマッピング処理を実行し、所定のビット系列に並べ替えられる。デマッピング部２５１は、符号化データＤ１が並べ替えられた所定のビット系列を対数尤度比処理部２５３に出力する。
【００３３】
対数尤度比処理部２５３は、デマッピング部２５１から出力された所定のビット系列、つまり、符号化データＤ１の対数尤度比ＬＬＲ（尤度情報）を演算する。対数尤度比ＬＬＲは、符号化データＤ１の尤度（もっともらしさ）を示す。対数尤度比処理部２５３は、演算した対数尤度比ＬＬＲを復号処理部２６０に出力する。さらに、対数尤度比ＬＬＲは、ＭＩＭＯ等化器２１１にフィードバックされる。
【００３４】
また、本実施形態では、対数尤度比処理部２５３は、演算した対数尤度比ＬＬＲの信頼度が所定の閾値以上か否かを判定する。本実施形態において、対数尤度比処理部２５３は、尤度情報判定部を構成する。具体的には、対数尤度比処理部２５３は、符号化データＤ１を含む無線信号の電力値に応じて、対数尤度比ＬＬＲの信頼度を決定し、当該信頼度が所定の閾値以上か否かを判定する。
【００３５】
分離部２５５は、対数尤度比処理部２５３によって中継された符号化データＤ１のデパンクチャリングを実行するとともに、符号化データＤ１を復号処理部２６０において復号処理させるため、符号化データＤ１を所定の形式にしたがった複数のデータに分離する。複数のデータに分離された符号化データＤ１は、インタリーバ２５７及び復号処理部２６０に出力される。
【００３６】
インタリーバ２５７は、分離部２５５から出力された符号化データＤ１（複数のデータ）に対してインターリービング処理を施し、インターリービング処理が施された符号化データＤ１を復号処理部２６０に出力する。
【００３７】
復号処理部２６０は、復号部２６１、インタリーバ２６３、復号部２６５及びデインタリーバ２６７を備える。
【００３８】
復号処理部２６０は、ターボ符号（所定の誤り訂正符号）にしたがって符号化データＤ１を復号する。さらに、復号処理部２６０は、対数尤度比ＬＬＲに基づいて符号化データＤ１を繰り返し復号する。
【００３９】
具体的には、インタリーバ２６３を介して符号化データＤ１を取得した復号部２６５は、対数尤度比ＬＬＲと符号化データＤ１とを用いて、符号化データＤ１の復号処理を実行する。さらに、復号部２６５は、符号化データＤ１の対数尤度比ＬＬＲを演算し、演算した対数尤度比ＬＬＲを、デインタリーバ２６７を介して復号部２６１に通知する。
【００４０】
復号部２６１は、符号化データＤ１の２回目以降の復号処理において、復号部２６５から通知された対数尤度比ＬＬＲと、分離部２５５から出力された符号化データＤ１とを用いて、符号化データＤ１の復号処理を実行する。
【００４１】
インタリーバ２６３は、符号化データＤ１のインターリービング処理を実行する。デインタリーバ２６７は、インターリービング処理が施された符号化データＤ１のデインターリビング処理を実行する。
【００４２】
また、復号部２６５には、対数尤度比処理部２５３によって対数尤度比ＬＬＲが所定の信頼度未満であると判定された符号化データＤ１を格納するバッファ２６５ａが設けられる。バッファ２６５ａは、データ格納部を構成する。
【００４３】
復号部２６５は、バッファ２６５ａに格納されている符号化データＤ１の対数尤度比ＬＬＲが対数尤度比処理部２５３によって所定の信頼度以上と判定された場合、バッファ２６５ａに格納されている符号化データＤ１を復号する。
【００４４】
復号処理部２６０、具体的には、デインタリーバ２６７には、出力部２７１及びエラー演算部２７３が接続される。
【００４５】
出力部２７１は、復号処理部２６０によって符号化データＤ１が復号された復号済データＤ２（復号結果）を下段のブロック、例えば、ベースバンド処理部（不図示）に出力する。
【００４６】
エラー演算部２７３は、復号済データＤ２に含まれる誤りの状態を検出する。本実施形態において、エラー演算部２７３は、誤り状態検出部を構成する。
【００４７】
本実施形態では、復号処理部２６０は、エラー演算部２７３によって検出された復号済データＤ２に含まれる誤りが所定の閾値よりも少ない場合、繰り返し回数決定部２０９によって決定された繰り返し回数の復号が完了しているか否かにかかわらず、符号化データＤ１の復号を中止する。
【００４８】
また、上述したように、本実施形態では、ＭＩＭＯ等化器２１１は、電力値の大きい所定数の無線信号に含まれる符号化データＤ１をターボ復号器２５０に出力する。すなわち、復号処理部２６０は、伝搬路状態取得部２０７によって取得された伝搬路の状態が良好な無線信号から順次復号する。
【００４９】
（無線通信システムの動作）
次に、無線通信システム１０の動作について説明する。具体的には、本実施形態において無線信号受信装置を構成する受信機２００による符号化データＤ１の復号処理動作について説明する。図４は、受信機２００による符号化データＤ１の復号処理動作フローを示す。
【００５０】
図４に示すように、ステップＳ１０において、受信機２００は、アンテナ２０１ａ〜２０１ｎを介して無線信号Ｓ１〜Ｓｎを受信する。
【００５１】
ステップＳ２０において、受信機２００は、受信した無線信号Ｓ１〜Ｓｎのチャネル推定を実行する。
【００５２】
ステップＳ３０において、受信機２００は、無線信号Ｓ１〜Ｓｎのチャネル推定の結果に基づいて、無線信号Ｓ１〜Ｓｎの伝搬路の状態を取得する。具体的には、受信機２００は、無線信号Ｓ１〜Ｓｎの受信電力値、ＲＳＳＩ及びＣＩＮＲなどを取得する。
【００５３】
ステップＳ４０において、受信機２００は、取得した無線信号Ｓ１〜Ｓｎの伝搬路の状態に基づいて、無線信号Ｓ１〜Ｓｎに含まれる符号化データＤ１のターボ復号の繰り返し回数を決定する。
【００５４】
ステップＳ５０において、受信機２００は、受信した無線信号Ｓ１〜Ｓｎの電力値の大きい順に、無線信号Ｓ１〜Ｓｎをソートする。具体的には、受信機２００は、無線信号Ｓ１〜Ｓｎの電力値及びターボ復号器２５０からフィードバックされる対数尤度比ＬＬＲに応じて無線信号Ｓ１〜Ｓｎをソートする。
【００５５】
ステップＳ６０において、受信機２００は、ソートされた順序にしたがって、無線信号に含まれる符号化データＤ１を当該順序に対応するターボ復号器２５０に出力する。
【００５６】
ステップＳ７０において、受信機２００は、符号化データＤ１の対数尤度比ＬＬＲを演算する。
【００５７】
ステップＳ８０において、受信機２００は、演算した対数尤度比ＬＬＲの値を検査する。
【００５８】
ステップＳ９０において、受信機２００は、対数尤度比ＬＬＲが所定の信頼度以上か否かを判定する。
【００５９】
対数尤度比ＬＬＲが所定の信頼度以上である場合（ステップＳ９０のＹＥＳ）、ステップＳ１００において、受信機２００は、対数尤度比ＬＬＲの値の検査が初回であるか否かを判定する。
【００６０】
対数尤度比ＬＬＲが所定の信頼度未満である場合（ステップＳ９０のＮＯ）、ステップＳ１１０において、受信機２００は、符号化データＤ１をバッファ２６５ａに格納する。
【００６１】
対数尤度比ＬＬＲの値の検査が初回でない場合（ステップＳ１００のＮＯ）、ステップＳ１２０において、受信機２００は、バッファ２６５ａに格納されている符号化データＤ１を読み出す。なお、受信機２００は、バッファ２６５ａに符号化データＤ１が格納されていない場合、ステップＳ１２０の処理を省略する。
【００６２】
対数尤度比ＬＬＲの値の検査が初回である場合（ステップＳ１００のＹＥＳ）、及びステップＳ１２０の処理を実行後、ステップＳ１３０において、受信機２００は、ステップＳ４０において決定されたターボ復号の繰り返し回数に基づいて、復号処理を実行する。
【００６３】
ステップＳ１４０において、受信機２００は、符号化データＤ１が復号された復号済データＤ２に誤りがないことを判定する。
【００６４】
復号済データＤ２に誤りがない場合（ステップＳ１４０のＹＥＳ）、受信機２００は、符号化データＤ１の復号処理を終了する。一方、復号済データＤ２に誤りがある場合（ステップＳ１４０のＮＯ）、受信機２００は、ステップＳ１３０の処理を繰り返す。
【００６５】
（作用・効果）
無線通信システム１０、具体的には、受信機２００によれば、符号化データＤ１の対数尤度比ＬＬＲが所定の信頼度以上と判定された場合、データ格納部に格納されている符号化データＤ１が復号される。このため、無線信号Ｓ１〜Ｓｎ間の干渉などによって対数尤度比ＬＬＲが所定の信頼度未満の符号化データＤ１は、対数尤度比ＬＬＲが所定の信頼度以上となるまで復号されない。すなわち、受信機２００によれば、受信する無線信号Ｓ１〜Ｓｎ間の干渉によって伝送誤りの訂正率が低下することが抑制される。
【００６６】
本実施形態では、無線信号Ｓ１〜Ｓｎの伝搬路の状態に基づいて、符号化データＤ１のターボ復号の繰り返し回数が決定される。このため、伝搬路の特性が良好な場合には復号処理に要する時間を短縮することができる。
【００６７】
つまり、伝搬路の特性が良好な場合、復号済データＤ２（復号結果）に含まれる伝送誤りは、早い段階で所定のレベル以下に収束する。しかしながら、従来の受信機では、復号結果に含まれる伝送誤りが早い段階で所定のレベル以下に収束した場合でも、決定された回数まで復号処理が繰り返される。受信機２００によれば、復号処理に要する時間が無駄に長くなるといった問題を解決することができる。
【００６８】
さらに、本実施形態では、エラー演算部２７３によって検出された誤りが所定の閾値よりも少ない場合、ターボ復号の繰り返し回数の復号が完了しているか否かにかかわらず、符号化データＤ１の復号が中止される。このため、復号処理に要する時間をさらに短縮することができる。
【００６９】
本実施形態では、伝搬路状態取得部２０７によって取得された無線信号Ｓ１〜Ｓｎの伝搬路の状態が良好な無線信号から順次復号される。つまり、対数尤度比ＬＬＲが所定の信頼度以上となる可能性が高い無線信号から復号される。このため、復号処理に要する時間をさらに短縮することができる。
【００７０】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００７１】
例えば、上述した実施形態では、無線信号Ｓ１〜Ｓｎの伝搬路の状態が良好な無線信号から順次復号されていたが、必ずしも伝搬路の状態が良好な無線信号から順次復号しなくても構わない。
【００７２】
上述した実施形態では、エラー演算部２７３によって検出された誤りが所定の閾値よりも少ない場合、ターボ復号の繰り返し回数の復号が完了しているか否かにかかわらず、符号化データＤ１の復号が中止されていたが、符号化データＤ１の復号は、繰り返し回数の復号が完了する前に中止しなくてもよい。
【００７３】
上述した実施形態では、無線信号Ｓ１〜Ｓｎの伝搬路の状態に基づいて、符号化データＤ１のターボ復号の繰り返し回数が決定されていたが、繰り返し回数は、決定しなくても構わない。
【００７４】
上述した実施形態では、対数尤度比ＬＬＲが用いられていたが、符号化データＤ１の尤度（もっともらしさ）を示すことができる情報であれば、必ずしも対数尤度比ＬＬＲでなくてもよい。さらに、上述した実施形態では、誤り訂正符号としてターボ符号が用いられていたが、符号化データの尤度情報に基づいて復号処理を繰り返すような誤り訂正符号であれば、ターボ符号以外であってもよい。
【００７５】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００７６】
【図１】本発明の実施形態に係る無線通信システムの全体概略構成図である。
【図２】本発明の実施形態に係る無線信号受信装置（受信機２００）の全体機能ブロック図である。
【図３】本発明の実施形態に係る無線信号受信装置に含まれるターボ復号器の詳細機能ブロック図である。
【図４】本発明の実施形態に係る無線信号受信装置の復号処理動作フローである。
【符号の説明】
【００７７】
１０…無線通信システム、１００…送信機、１０１ａ〜１０１ｎ…アンテナ、２００…受信機、２０１ａ〜２０１ｎ…アンテナ、２０３…チャネル推定部、２０５…トレーニングシンボル生成部、２０７…伝搬路状態取得部、２０９…繰り返し回数決定部、２１１…ＭＩＭＯ等化器、２５０…ターボ復号器、２５１…デマッピング部、２５３…対数尤度比処理部、２５５…分離部、２５７，２６３…インタリーバ、２６０…復号処理部、２６１，２６５復号部、２６５ａ…バッファ、２６７…デインタリーバ、２７１…出力部、２７３…エラー演算部、Ｄ１…符号化データ、Ｄ２…復号済データ、ＬＬＲ…対数尤度比、Ｓ１〜Ｓｎ…無線信号
【図１】
2008205944.tif 000003
【図２】
2008205944.tif 000004
【図３】
2008205944.tif 000005
【図４】
2008205944.tif 000006